(57)【要約】【課題】旋回走行時における制動力制御を正確に行い、走行安定性能を向上させる。【解決手段】車両の左右駆動輪の制動力を独立して制御可能に構成して、実ヨーレイトと車速及び操舵角から演算した目標ヨーレイトとの差に応じて旋回内輪の制動圧Ｐuまたは旋回外輪の制動圧Ｐoを設定し、車両がアンダーステア状態である場合には、旋回内輪の制動圧Ｐuからデフにおけるフリクションによる拘束トルクＴdを減算して旋回内輪の制動圧Ｐu’を求め(S60)、車両がオーバーステア状態である場合には、旋回外輪の制動圧Ｐoにデフにおける拘束トルクＴdを加算して旋回外輪の制動圧Ｐo’を求める(S100)。そして、求めた旋回内輪の制動圧Ｐu’または旋回外輪の制動圧Ｐo’で左右駆動輪を制動する（S110）。【選択図】図２
2011093489.tif 000002
【特許請求の範囲】
【請求項１】
エンジンから前輪及び後輪の少なくとも一方の左右駆動輪に回転速度差を許容しつつ動力を伝達するディファレンシャル装置を有する車両の旋回挙動制御装置において、
前記左右駆動輪に独立して制動力を付与可能な制動手段と、
車両の走行状態に基づいて目標ヨーレイトを演算する目標ヨーレイト演算手段と、
車両の実ヨーレイトを検出する実ヨーレイト検出手段と、
前記目標ヨーレイト演算手段により演算された目標ヨーレイトと前記実ヨーレイト検出手段により検出された実ヨーレイトとの差に基づいて前記左右駆動輪の制動力を設定し、該制動力が前記左右駆動輪に付与されるように前記制動手段を制御する制動力制御手段と、
前記ディファレンシャル装置におけるフリクションによる前記左右駆動輪の拘束トルクに応じて、前記制動制御手段において設定した前記左右駆動輪の制動力を補正する補正手段と、
を備えたことを特徴とする車両の旋回挙動制御装置。
【請求項２】
前記補正手段は、前記車両がアンダーステア状態である場合には、前記制動制御手段において設定した前記左右駆動輪の旋回内輪の制動力から、前記ディファレンシャル装置における前記左右駆動輪の拘束トルクに応じた制動力を減算して補正することを特徴とする請求項１に記載の車両の旋回挙動制御装置。
【請求項３】
前記補正手段は、前記車両がオーバーステア状態である場合には、前記制動制御手段において設定した前記左右駆動輪の旋回外輪の制動力に、前記ディファレンシャル装置における前記左右駆動輪の拘束トルクに応じた制動力を加算して補正することを特徴とする請求項１または２に記載の車両の旋回挙動制御装置。
【発明の詳細な説明】
【技術分野】
【０００１】
本発明は、車両の旋回挙動制御装置に関するものである。
【背景技術】
【０００２】
従来から、旋回している車両の走行安定性を向上させる旋回挙動制御技術として、車両のヨーレイトに基づいて制動力を制御するヨーレイトフィードバック制御が知られている。
具体的には、車両の左右輪の制動力を独立して調整可能な構成とし、操舵角や車速といった車両の走行状態に基づいて車両の目標ヨーレイトを算出するとともに、ヨーレイトセンサを用いて実ヨーレイトを検出する。そして、これら目標ヨーレイトと実ヨーレイトとの差に応じて左右輪の制動力を制御して、実ヨーレイトを目標ヨーレイトに近付ける（特許文献１）。
【先行技術文献】
【特許文献】
【０００３】
【特許文献１】特開平３−２７６８５２号公報
【発明の概要】
【発明が解決しようとする課題】
【０００４】
車両には通常、左右駆動輪の回転速度差を許容しつつ、エンジンからの駆動力を左右に等しく伝達するディファレンシャル装置（以下、デフという）が設けられている。しかしデフは、ディファレンシャルギアのように機械的な構造のものが広く用いられており、内部フリクションを有するため、左右の回転速度差を許容できずに、左右に等しく駆動力を伝達できない場合がある。したがって、上記特許文献１のように車両の挙動に基づいて左右輪の制動力を制御しようとしても、デフのフリクションにより左右の回転速度差を完全に許容できずにその差が抑えられ、左右駆動力差が生じるため、これを考慮しない制動力の制御では目標とする左右駆動力差を正確に発生する事ができず、その効果が十分に得られない虞がある。
【０００５】
本発明はこのような問題点を解決するためになされたもので、その目的とするところは、ヨーレイトフィードバック制御における制動力の制御を正確に行い、走行安定性能を向上させる車両の旋回挙動制御装置を提供することにある。
【課題を解決するための手段】
【０００６】
上記した目的を達成するために、請求項１の車両の旋回挙動制御装置は、エンジンから前輪及び後輪の少なくとも一方の左右駆動輪に回転速度差を許容しつつ動力を伝達するディファレンシャル装置を有する車両において、左右駆動輪に独立して制動力を付与可能な制動手段と、車両の走行状態に基づいて目標ヨーレイトを演算する目標ヨーレイト演算手段と、車両の実ヨーレイトを検出する実ヨーレイト検出手段と、目標ヨーレイト演算手段により演算された目標ヨーレイトと実ヨーレイト検出手段により検出された実ヨーレイトとの差に基づいて左右駆動輪の制動力を設定し、該制動力が左右駆動輪に付与されるように制動手段を制御する制動力制御手段と、ディファレンシャル装置におけるフリクションによる左右駆動輪の拘束トルクに応じて、制動制御手段において設定した左右駆動輪の制動力を補正する補正手段と、を備えたことを特徴とする。
【０００７】
また、請求項２の車両の旋回挙動制御装置は、請求項１において、補正手段は、車両がアンダーステア状態である場合には、制動制御手段において設定した左右駆動輪の旋回内輪の制動力から、ディファレンシャル装置における左右駆動輪の拘束トルクに応じた制動力を減算して補正することを特徴とする。
また、請求項３の車両の旋回挙動制御装置は、請求項１または２において、補正手段は、車両がオーバーステア状態である場合には、制動制御手段において設定した旋回外輪の制動力に、ディファレンシャル装置における左右駆動輪の拘束トルクに応じた制動力を加算して補正することを特徴とする。
【発明の効果】
【０００８】
本発明の請求項１の車両の旋回挙動制御装置によれば、目標ヨーレイトと実ヨーレイトとの差に基づいて左右駆動輪に制動力を付与する際に、ディファレンシャル装置におけるフリクションによる左右駆動輪の拘束トルクに応じて左右駆動輪に付与する制動力を補正するので、ディファレンシャル装置のフリクションによる影響を相殺して解消させることが可能となる。したがって、目標ヨーレイトと実ヨーレイトとの差に基づく左右駆動輪の制動力制御を正確に行うことができ、車両の走行安定性を向上させることができる。
【０００９】
本発明の請求項２の車両の旋回挙動制御装置によれば、車両がアンダーステア状態である場合には、左右駆動輪の旋回内輪の制動力にディファレンシャル装置における拘束量に応じた制動力を減算するので、旋回内輪への制動力の必要以上の付与を防止して、目標ヨーレイトと実ヨーレイトとの差に基づいて旋回内輪の制動力を正確に制御することができるとともに、制動力制動装置の使用を軽減させることで、制動装置の寿命低下や劣化を抑制することができる。
【００１０】
本発明の請求項３の車両の旋回挙動制御装置によれば、車両がオーバーステア状態である場合には、左右駆動輪の旋回外輪の制動力にディファレンシャル装置における拘束量に応じた制動力を加算するので、旋回外輪への制動力の付与不足を防止して、オーバーステアを抑制することができ、車両の走行安定性を向上させることができる。
【図面の簡単な説明】
【００１１】
【図１】本発明に係る車両の旋回挙動制御装置の構成を示すブロック図である。
【図２】ブレーキ制御コントローラにおいて実行されるヨーレイトフィードバック制御要領を示すフローチャートである。
【図３】デフの拘束トルクを求めるマップである。
【発明を実施するための形態】
【００１２】
以下、本発明の実施形態について図面を用いて説明する。
図１には本発明に係る車両の旋回挙動制御装置の構成を示すブロック図である。本実施形態では、当該旋回挙動制御装置は前輪駆動方式の車両１に適用されている。
車両１に搭載されたエンジン２の出力はトランスミッション３、デフ(ディファレンシャル装置)４及び車軸５Ｌ，５Ｒを介して左右前輪(左右駆動輪)６Ｌ，６Ｒにそれぞれ伝達される。
【００１３】
デフ４にはエンジン２から入力されたトルクを左右前輪６Ｌ，６Ｒに回転速度差（差動）を許容しながら等しく配分する目的でディファレンシャルギアが適用されている。しかしながら、一般的にディファレンシャルギアは機械的なフリクションがどうしても存在してしまうため、特にエンジン２から入力されるトルクの大きさに応じて左右前輪６Ｌ，６Ｒの差動を制限してしい、左右輪の駆動力に差が生じてしまう特性を有している。
【００１４】
また、車両１の車輪６Ｌ，６Ｒ，７Ｌ，７Ｒには、それぞれ、ブレーキ装置(制動手段)８Ｌ，８Ｒ，９Ｌ，９Ｒが設けられている。
車両１の各車輪６Ｌ，６Ｒ，７Ｌ，７Ｒには、車輪速度を検出する車輪速度センサ１０Ｌ，１０Ｒ，１１Ｌ，１１Ｒが設けられている。また、車両１には、操舵角を検出する舵角センサ１２、車両１の実ヨーレイトを検出するヨーレイトセンサ(実ヨーレイト検出手段)１３、及びブレーキ装置８Ｌ，８Ｒを制御するブレーキ制御コントローラ１４が備えられている。
【００１５】
ブレーキ制御コントローラ１４は、図示しないインタフェイス，メモリ，ＣＰＵ等が備えられた電子制御ユニットであって、前輪側のブレーキ装置８Ｌ，８Ｒを利用したヨーレイトフィードバック制御を実行する機能を有している。ブレーキ制御コントローラ１４は、舵角センサ１２、各車輪速度センサ１０Ｌ，１０Ｒ，１１Ｌ，１１Ｒ、及びヨーレイトセンサ１３から各検出情報を入力し、ブレーキ装置８Ｌ，８Ｒの制動圧、即ち左右駆動輪（左右前輪）８Ｌ，８Ｒの制動力を制御する。
【００１６】
図２は、ブレーキ制御コントローラ１４において実行されるヨーレイトフィードバック制御要領を示すフローチャートである。
本ルーチンは、エンジン２の運転中に繰り返し実行される。先ず、ステップＳ１０では、車両挙動情報として、舵角センサ４７によって検出された操舵角θ、車速Ｖb、ヨーレイトセンサ１３によって検出された実ヨーレイトγを入力する。なお、車速Ｖbは、各車輪速度センサ１０Ｌ，１０Ｒ，１１Ｌ，１１Ｒによって検出された各車輪速度から、例えば２番目に大きい車輪速度を車速Ｖbとして求めればよい。そして、ステップＳ２０に進む。
【００１７】
ステップＳ２０では、車両状態量を演算する。具体的には、ステップＳ１０において入力した操舵角θと車速Ｖbとに基づいて目標ヨーレイトγtを演算する(目標ヨーレイト演算手段)。そして、ステップＳ３０に進む。
ステップＳ３０では、アンダーステア状態であるか否かを判別する。具体的には、ステップＳ１０においてヨーレイトセンサ１３から入力した実ヨーレイトγと、ステップＳ２０において演算した目標ヨーレイトγtとを比較して、実ヨーレイトγが目標ヨーレイトγtより低い場合にはアンダーステア状態であると判定し、目標ヨーレイトγt以上である場合にはアンダーステア状態でないと判定する。アンダーステア状態である場合には、ステップＳ４０に進む。
【００１８】
ステップＳ４０では、デフ４の拘束トルクＴdを演算する。拘束トルクＴdは、デフ４におけるフリクションによって左右の回転速度差を許容できずに発生するトルクであって、デフ４に入力する駆動トルクＴnに基づいて、例えば図３に示したマップを用いて演算される。拘束トルクＴdは、駆動トルクＴnの増加に応じて増え、例えば図３に示すように駆動トルクＴnと比例関係にある。なお、デフ４に入力する駆動トルクＴnは、エンジン２の運転状態に基づいて演算すればよい。そして、ステップＳ５０に進む。
【００１９】
ステップＳ５０では、拘束トルクＴdに対応する制動圧ＰLを演算する。制動圧ＰLは、ステップＳ４０において演算した拘束トルクＴd相当の制動力を発生させる制動圧である。そして、ステップＳ６０に進む。
ステップＳ６０では、旋回内輪の制動圧Ｐu’を設定する。旋回内輪の制動圧Ｐu’は、次式（１）に示すように、アンダーステア抑制制動圧ＰuからステップＳ５０において演算した拘束トルクＴdに対応する制動圧ＰLを減算して求められる。アンダーステア抑制制動圧Ｐuは、ステップＳ１０においてヨーレイトセンサ１３から入力した実ヨーレイトγと、ステップＳ２０において演算した目標ヨーレイトγtとの差に応じて設定される旋回内輪の制動圧であり、例えば特許文献１に記載されている公知のヨーレイトフィードバック制御と同様に設定すればよい。そして、ステップＳ１１０に進む。
【００２０】
Ｐu’＝Ｐu−ＰL・・・（１）
ステップＳ３０において、アンダーステア状態ではないと判定された場合には、ステップＳ７０に進む。
ステップＳ７０では、オーバーステア状態であるか否かを判別する。具体的には、ステップＳ１０においてヨーレイトセンサ１３から入力した実ヨーレイトγと、ステップＳ２０において演算した目標ヨーレイトγtとを比較して、実ヨーレイトγが目標ヨーレイトγtより高い場合にはオーバーステア状態であると判定し、実ヨーレイトγが目標ヨーレイトγt以下である場合にはオーバーステア状態でないと判定する。オーバーステア状態である場合には、ステップＳ８０に進む。
【００２１】
ステップＳ８０では、ステップＳ４０と同様に、デフ４の拘束トルクＴdを演算する。そして、ステップＳ９０に進む。
ステップＳ９０では、ステップＳ５０と同様に、拘束トルクＴdに対応する制動圧ＰLを演算する。そして、ステップＳ１００に進む。
ステップＳ１００では、旋回外輪の制動圧Ｐo’を設定する。旋回外輪の制動圧Ｐo’は、次式（２）示すように、オーバーステア抑制制動圧ＰoにステップＳ１００において演算した拘束トルクＴdに対応する制動圧ＰLを加算して求められる。オーバーステア抑制制動圧Ｐoは、ステップＳ１０においてヨーレイトセンサ１３から入力した実ヨーレイトγと、ステップＳ２０において演算した目標ヨーレイトγtとの差に応じて設定される旋回外輪の制動圧であり、公知のヨーレイトフィードバック制御と同様に設定すればよい。そして、ステップＳ７０に進む。
【００２２】
Ｐo’＝Ｐo＋ＰL・・・（２）
ステップＳ７０において、オーバーステア状態でないと判定された場合、即ちニュートラルステア状態である場合には、ステップ１１０に進む。
ステップＳ１１０では、ステップＳ６０にて設定された制動圧Ｐu’あるいはステップＳ１００において設定された制動圧Ｐo’でブレーキ装置８Ｌ，８Ｒを作動させて、左右駆動輪（左右前輪）８Ｌ，８Ｒに付与される制動力を制御する。なお、ステップＳ６０またはステップＳ１００において設定されない車輪側のブレーキ装置８Ｌ、８Ｒの制動圧は０に設定する。そして、本ルーチンを終了する。
【００２３】
なお、ステップＳ６０におけるアンダーステア抑制制動圧Ｐuの設定及びステップＳ１００におけるオーバーステア抑制制動圧Ｐoの設定は、本発明の制動力制御手段に該当する。また、ステップＳ６０における制動圧ＰLの減算による旋回内輪の制動圧Ｐu’の設定、及びステップＳ１００における制動圧ＰLの加算による旋回外輪の制動圧Ｐo’の設定は、本発明の補正手段に該当する。
【００２４】
以上のように制御することで、本実施形態では、実ヨーレイトγと目標ヨーレイトγtとの差に応じて旋回内輪または旋回外輪の制動圧Ｐu、Ｐoを設定するヨーレイトフィードバック制御において、デフ４のフリクションによる拘束トルクＴdを演算し、車両１がアンダーステア状態である場合には拘束トルクＴdに相当する分を旋回内輪の制動圧Ｐuから減算する一方、オーバーステア状態である場合には拘束トルクＴdに相当する分を旋回外輪の制動圧Ｐoに加算してブレーキ装置８Ｌ、８Ｒの制動圧を補正する。
【００２５】
一般的に、アンダーステア時では、車両１のアクセルを踏み増すことで旋回内輪のトラクションが限界に達し空転気味となって車輪速度が増加する。このとき、デフ４のフリクションによって左右の回転差が拘束され、旋回外輪の駆動力が増加してアンダーステアを抑制する方向にヨーモーメントが発生する。本実施形態では、このデフ４のフリクションによる拘束トルクＴdに応じて旋回内輪の制動圧Ｐuを低下させるので、制動力の必要以上の付与を防ぎ、ブレーキパッドの摩耗及び加熱を抑えて寿命低下や劣化を抑制することができる。
【００２６】
一方、オーバーステア時には、旋回外輪に制動がかかり車輪速度が低下するが、デフ４のフリクションにより左右の回転差が拘束されて旋回外輪の駆動力が増加することで、オーバーステアが助長されてしまう。本実施形態では、デフ４のフリクションによる拘束トルクＴdに応じて旋回外輪の制動圧Ｐoを増加させることで、オーバーステアを抑えることができる。
【００２７】
以上のように、アンダーステアまたはオーバーステア時に、デフ４のフリクションを考慮してブレーキ装置８Ｌ、８Ｒの制動圧Ｐu、Ｐoを補正させることで、デフ４の拘束トルクＴdの影響を解消し、ヨーレイトフィードバック制御におけるブレーキ装置８Ｌ、８Ｒの制動圧Ｐu’、Ｐo’を正確に設定することができ、車両１の挙動を安定化させ、走行安定性を向上させることができる。
【００２８】
また、近年の一般的な車両の旋回挙動制御装置は、ブレーキ制御とともにエンジン出力を絞っているため、スポーツ走行を行った場合にはもたつき感を伴う。このもたつき感解消のために、エンジン出力制御をやめてしまうとエンジン出力が大きくなり、デフ４のフリクションの影響が大きくなる。本発明は、エンジン２の出力からデフ４の拘束トルクＴdの影響を解消するので、特にスポーツ走行に適した車両挙動制御を実現させることができる。
【００２９】
なお、上記実施形態では、アンダーステア時とオーバーステア時との両方で制動圧を補正したが、何れか一方のみ制動圧を補正してもよい。
また、本実施形態では、前輪駆動車に本発明を適用し、前輪の制動力制御を行うが、後輪駆動車に本発明を適用し、後輪の制動力制御を行ってもよい。また、四輪駆動車についても本発明を適用して、前輪及び後輪の制動力制御を行ってもよい。
【００３０】
また、本実施形態では、エンジンから入力されたトルクを左右前輪に回転速度差（差動）を許容しながら等しく伝達する一般的なディファレンシャルギアの搭載車両としたが、主に走破性向上を目的に適用されるリミッテドスリップデファレンシャル（LSD）を搭載した車両に本発明を適用してもよい。
【符号の説明】
【００３１】
１  車両
４  デフ
６Ｌ  左前輪
６Ｒ  右前輪
８Ｌ  左前輪ブレーキ装置
８Ｒ  右前輪ブレーキ装置
１２  舵角センサ
１３  ヨーレイトセンサ
１４  ブレーキ制御コントローラ
【図１】
2011093489.tif 000003
【図２】
2011093489.tif 000004
【図３】
2011093489.tif 000005